(57)【要約】【課題】  ラックに安定した状態に取り付けられ、地震等の揺れや衝撃が発生した際においてもラック上の収納物の落下が防止できる載置物品の滑り止め具を提供する。【解決手段】  全体がゴム製で、上面部２と上面部２の側縁から下方に連続一体に延出す一対の側面部３とからなり、物品１７の載置部１２を構成する棒状の被装着部１４に上方から嵌め込み装着されて使用される載置物品の滑り止め具であり、側面部３それぞれの下縁に沿って、内側に突出して被装着部１４の下面に係止する係止縁部９が設けられてなるもの。【選択図】図１
0003221360.tif 000002
【実用新案登録請求の範囲】
【請求項１】
全体がゴム製で、上面部と前記上面部の側縁から下方に連続一体に延び出す一対の側面部とからなり、物品の載置部を構成する棒状の被装着部に上方から嵌め込み装着されて使用される載置物品の滑り止め具であり、
前記側面部それぞれの下縁に沿って、内側に突出して前記被装着部の下面に係止する係止縁部が設けられてなることを特徴とする載置物品の滑り止め具。
【請求項２】
前記両側面部間の距離が下方に行くに伴って小さくなっている請求項１記載の載置物品の滑り止め具。
【請求項３】
前記側面部の厚さ寸法が７〜１０ｍｍである請求項１または２記載の載置物品の滑り止め具。
【考案の詳細な説明】
【技術分野】
【０００１】  この考案は、倉庫のラック（棚）等において使用される載置物品の滑り止め具に関する。
【背景技術】
【０００２】  例えば、倉庫内においてラック上に種々の物品がパレットを介して載置収納されているが、揺れの大きい地震が発生してラックが揺れたり傾いたりするとパレットが滑って位置ずれし、そこに載置された収納物品が落下する問題が発生する。
【考案の概念】
【考案が解決しようとする課題】
【０００３】  この考案は上記の事情に鑑みて行ったもので、地震等の揺れや衝撃が発生した際においてもラック上の収納物品の落下が防止できる載置物品の滑り止め具を提供する。とくに、ラック等に安定した状態に取り付けられる載置物品の滑り止め具を提供する。
【課題の解決手段】
【０００４】  この考案では、全体がゴム製で、上面部と前記上面部の側縁から下方に連続一体に延び出す一対の側面部とからなり、物品の載置部を構成する棒状の被装着部に上方から嵌め込み装着されて使用される載置物品の滑り止め具であり、前記側面部それぞれの下縁に沿って、内側に突出して前記被装着部の下面に係止する係止縁部が設けられてなることを特徴とする載置物品の滑り止め具を提供する。
【０００５】  上記構成の滑り止め具が使用されると、滑り止め具それぞれが弾力的に載置物品の底面に密着することでその滑りが抑制され、これにより、地震等の衝撃により載置物品が位置ずれすることが防止され、載置物品やその上部の収納物品が載置部上からから落下することが防止される。くわえて、両側面部それぞれの下縁の係止縁部が被装着部の下面に弾力的に係止することで強固に安定して取り付けられ、これにより地震時等において物品側から大きな力がかかっても被装着部から離脱することが防止される。
【０００６】  さらに、両側面部間の距離が下方に行くに伴って小さくされていることで両側面部が強固に密着して被装着部への取り付けが強固に安定してなされ、さらに、側面部の厚さ寸法が７〜１０ｍｍと厚くされて強度が大きくされることで取り付けが強固に安定してなされ、被装着部から離脱することがより確実に防止される。
【０００７】  上記滑り止め具は、天然ゴム、合成ゴム、または、それらの混合ゴムが成形されて得られ、その硬度は５５〜６５度、耐寒性は５０〜６０度で、耐水性に優れるものが好適に用いられる。物品の載置部は例えばラック等であり、棒状の構成部はその一部を構成する枠や桟等となる。物品は収納物そのもの、収納物を載せるパレット、収納物を一体とするパレット等全てに適用される。
【０００８】  上記滑り止め具は、上面部の上面に被装着部の棒状に沿う方向に複数の凸条が形成される構成とされることで摩擦抵抗が増大され、凸条に直交する方向の滑り防止がより効果的に行われる。
【考案の効果】
【０００９】  この考案の滑り止め具を使用することで、地震発生時等においてラック上等からの物品の落下が最小限とできるようになる。この考案の滑り止め具はラック等に強固に安定して取り付けられ、載置される物品側から力がかかった際にも離脱することなく使用できる。
【図面の簡単な説明】
【００１０】
【図１】  この考案の載置物品の滑り止め具の実施形態の外観斜視図
【図２】  この考案の載置物品の滑り止め具の実施形態の側面図
【図３】  この考案の載置物品の滑り止め具の実施形態の使用説明図
【図４】  この考案の載置物品の滑り止め具の実施形態の使用説明図
【考案を実施するための形態】
【００１１】  図１はこの考案の載置物品の滑り止め具の外観斜視図、図２は同側面図である。滑り止め防止具１は全体がゴム製で、上面部２と上面部２の側縁から下方に連続一体に延び出す一対の側面部３とからなる。上面部２の上面に一端側から他端側に沿って複数の凸条７が形成され、両側面部３それぞれの下縁には内側に突出する係止縁部９のそれぞれが設けられている。両側面部３はその厚み寸法が８ｍｍと厚く形成され、図２に示すように、その間の距離Ｌが下方に行くに伴って小さくなるように設けられている。
【００１２】  図３、図４は滑り止め具１の使用状態を示す。滑り止め具１は倉庫等で使用されるラック（載置部）１２の前枠（被装着部）１４の両端近傍と、２本の縦桟（被装着部）１５の後部それぞれに上方から嵌め込み装着されて合計４個用いられている。
【００１３】  滑り止め具１はゴム製であって弾力性を有し、両側面部３それぞれの厚みが大きいとともに、両側面部３がその間の距離Ｌが下方に行くに伴って小さくされていることで、前枠１４、縦桟１５それぞれに弾力的に密着して装着され、さらに、両側面部３それぞれの下縁の係止縁部９が前枠１４、縦桟１５の下面に弾力的に係止することで、強固に安定して取り付けられる。
【００１４】  上記のように４個の滑り止め具１それぞれが配置された状態においてラック１２上にパレット１７（物品）が載置されると、滑り止め具１それぞれが弾力的にパレット１７の底面に密着することでその滑りが抑制され、これにより、地震等の衝撃によりパレット１７が位置ずれすることが防止され、パレット１７、パレット１７上の物品がラック１２から落下することが防止される。また、その際滑り止め具１にはパレット１７側から相当の力がかかるが、上記のように強固に安定して取り付けられていることで前枠１４、縦桟１５から離脱することが防止される。
【００１５】  とくに、滑り止め具１の上面部２の上面に長手方向に沿って複薮の凸条７が形成されていて大きな摩擦抵抗を生じ、これにより凸条７と直交する方向（図４の矢印Ｘ）への滑りがより効果的に抑制される。したがって、図３において前枠１４に装着された滑り止め具１それぞれによりパレット１７の前後方向の滑りがより効果的に抑制され、パレット１７及びそこに載置される収納物品のラック１２からの前方、後方への滑り落ちが防止される。また、縦桟１５に装着された滑り止め具１それぞれによってはパレット１７の横方向の滑りがより効果的に抑制され、パレット１７及びそこに載置される収納物品のラック１２からの側方への滑り落ちが防止される。滑り止め具１はさらに多数個用いてもよい。
【符号の説明】
【００１６】１    滑り止め具
２    上面部
３    側面部
９    係止縁部
１２  ラック（載置部）
１４  前枠（被装着部）
１５  縦桟（被装着部）
１７  パレット（物品）
【図１】
0003221360.tif 000003
【図２】
0003221360.tif 000004
【図３】
0003221360.tif 000005
【図４】
0003221360.tif 000006